(57)【要約】【課題】振子ギアを押圧するための圧縮バネを簡単に精度良く組み付けることができる駆動装置を提供する。【解決手段】駆動装置６は、正逆回転可能な駆動ギア６１と、駆動ギア６１とかみ合い、駆動ギア６１の回転に伴って第１位置と第２位置との間で揺動する振子ギア６２と、第１位置に揺動した振子ギア６２とかみ合い、第２位置に揺動した振子ギア６２から離間する従動ギア６３と、振子ギア６２を回転軸心Ｃ１方向に押圧する圧縮ばね６４と、圧縮ばね６４を保持するギアカバー６５とを備え、ギアカバー６５は、第１位置および第２位置に揺動した振子ギア６２と回転軸心Ｃ１方向に重なる位置に設けられ、圧縮ばね６４を挿入可能な貫通孔６６２が回転軸心Ｃ１方向に沿って延びる筒状部６６と、圧縮ばね６４の一端部６４ａが振子ギア６２に当接するとともに圧縮ばね６４が圧縮した状態で、圧縮ばね６４の他端部６４ｂ側を保持するフック６７とを有する。【選択図】図５
2020143737.tif 000002
【特許請求の範囲】
【請求項１】
正逆回転可能な駆動ギアと、
前記駆動ギアとかみ合い、前記駆動ギアの回転に伴って第１位置と第２位置との間で揺動する振子ギアと、
前記振子ギアが前記第１位置に揺動したときに前記振子ギアとかみ合い、前記振子ギアが前記第２位置に揺動したときに前記振子ギアから離間する従動ギアと、
前記振子ギアの回転軸心方向に付勢力を有し、前記振子ギアの側面に当接して前記振子ギアを押圧する圧縮ばねと、
前記圧縮ばねを保持する保持部とを備え、
前記保持部は、
前記第１位置に揺動した前記振子ギアおよび前記第２位置に揺動した前記振子ギアと前記回転軸心方向に重なる位置に設けられ、前記圧縮ばねを挿入可能な貫通孔が前記回転軸心方向に沿って延びる筒状部と、
前記圧縮ばねの一端が前記振子ギアに当接するとともに前記圧縮ばねが圧縮した状態で、前記圧縮ばねの他端側を保持するフックとを有する
ことを特徴とする駆動装置。
【請求項２】
前記フックは、前記回転軸心方向に沿って延び弾性変形可能なアームと、前記アームの前記振子ギア側とは反対側の端部に設けられる爪部とを有し、
前記アームは筒状部の一部を構成することを特徴とする請求項１に記載の駆動装置。
【請求項３】
前記爪部は、前記回転軸心方向において前記筒状部の前記振子ギア側とは反対側の端部よりも前記振子ギア側に配置されていることを特徴とする請求項２に記載の駆動装置。
【請求項４】
前記爪部の前記回転軸心方向における前記振子ギア側とは反対側の第１爪端面は、前記振子ギア側へ行くに従って半径方向内側に傾斜する第１傾斜面を有することを特徴とする請求項２または請求項３に記載の駆動装置。
【請求項５】
前記爪部の前記回転軸心方向における前記振子ギア側の第２爪端面は、前記圧縮ばねの他端側と係合可能であり半径方向内側へ行くに従って前記振子ギア側へ傾斜する第２傾斜面を有することを特徴とする請求項２〜請求項４の何れか一項に記載の駆動装置。
【請求項６】
前記筒状部の前記回転軸心方向における前記振子ギア側とは反対側の筒端面は、前記振子ギア側へ行くに従って半径方向内側に傾斜する第３傾斜面を有する請求項１〜請求項５の何れか一項に記載の駆動装置。
【請求項７】
駆動装置を備える画像形成装置であって、
請求項１〜請求項６の何れか一項に記載の駆動装置を備えることを特徴とする画像形成装置。
【発明の詳細な説明】
【技術分野】
【０００１】
本発明は、駆動装置および画像形成装置に関する。
【背景技術】
【０００２】
従来、正逆回転可能な駆動ギアと、駆動ギアとかみ合い、駆動ギアの回転に伴って揺動する振子ギアとを備えた駆動装置においては、付勢部材により振子ギアを回転軸心方向に押圧して、振子ギアを揺動させるために必要となる揺動ギアの回転方向に対する摩擦力を付与する構成が知られている。
【０００３】
例えば、特許文献１においては、駆動力が伝達される駆動ギアと、駆動ギアとかみ合いながら駆動ギアの周りを揺動する揺動ギアと、揺動ギアを回転軸心方向に押圧して揺動ギアの回転方向に対する摩擦力を付与するための付勢部材である圧縮バネとを備えた駆動装置が開示されている。
【先行技術文献】
【特許文献】
【０００４】
【特許文献１】特開２０１０−５３９４８号公報
【発明の概要】
【発明が解決しようとする課題】
【０００５】
上記のように、圧縮バネを用いて揺動ギアを押圧する構成の場合、例えば圧縮バネおよび揺動ギアをフレームに組み付けるときに、圧縮バネをフレームに仮保持させた状態で揺動ギアとフレームとを組み付ける作業を行うことがある。このような場合、組み付け作業の途中で仮保持された圧縮バネが脱落したり、圧縮バネが歪んだ状態でフレームに組み付けられたりするおそれがあるため、圧縮バネを簡単に精度良く組み付けることができる構成が求められている。
【０００６】
そこで、本発明においては、振子ギアを押圧するための圧縮バネを簡単に精度良く組み付けることができる駆動装置およびこれを備える画像形成装置を提供する。
【課題を解決するための手段】
【０００７】
上記課題を解決する駆動装置および画像形成装置は、以下の特徴を有する。
即ち、画像形成装置（１）の駆動装置（６）は、正逆回転可能な駆動ギア（６１）と、前記駆動ギア（６１）とかみ合い、前記駆動ギア（６１）の回転に伴って第１位置と第２位置との間で揺動する振子ギア（６２）と、前記振子ギア（６２）が前記第１位置に揺動したときに前記振子ギア（６２）とかみ合い、前記振子ギア（６２）が前記第２位置に揺動したときに前記振子ギア（６２）から離間する従動ギア（６３）と、前記振子ギア（６２）の回転軸心（Ｃ１）方向に付勢力を有し、前記振子ギア（６２）の側面（６２１ａ）に当接して前記振子ギア（６２）を押圧する圧縮ばね（６４）と、前記圧縮ばね（６４）を保持する保持部（６５）とを備え、前記保持部（６５）は、前記第１位置に揺動した前記振子ギア（６２）および前記第２位置に揺動した前記振子ギア（６２）と前記回転軸心（Ｃ１）方向に重なる位置に設けられ、前記圧縮ばね（６４）を挿入可能な貫通孔（６６２）が前記回転軸心（Ｃ１）方向に沿って延びる筒状部（６６）と、前記圧縮ばね（６４）の一端（６４ａ）が前記振子ギア（６２）に当接するとともに前記圧縮ばね（６４）が圧縮した状態で、前記圧縮ばね（６４）の他端（６４ｂ）側を保持するフック（６７）とを有する。
【発明の効果】
【０００８】
本発明によれば、振子ギアをフレーム等に組み付け、さらに保持部をフレーム等に組み付けた後に、圧縮ばねを筒状部の貫通孔に挿入してフックにて止めるように組み付けることができる。これにより、振子ギアを組み付けた後に圧縮ばねを組み付けることができるので、圧縮ばねが歪んで取り付けられることを抑制できるとともに、圧縮ばねを簡単に組み付けることが可能である。
【図面の簡単な説明】
【０００９】
【図１】画像形成装置を示す中央断面図である。
【図２】駆動装置を示す分解斜視図である。
【図３】駆動装置を示す左側面図である。
【図４】駆動装置を示す正面断面図である。
【図５】駆動装置を示す拡大左側面図である。
【図６】駆動装置を示す斜視図である。
【図７】ギアカバーの筒状部およびフックを示す左側面図である。
【図８】第２実施形態に係るフックを示す図であって、（ａ）は正面断面図、（ｂ）は左側面図である。
【発明を実施するための形態】
【００１０】
次に、本発明を実施するための形態を、添付の図面を用いて説明する。
【００１１】
[画像形成装置の全体構成]
図１に示す画像形成装置１は、本発明に係る画像形成装置の一実施形態である。
以下の説明では、図１における右側を画像形成装置１の前側、図１における左側を画像形成装置１の後側と規定し、図１おける紙面手前側を画像形成装置１の左側、図１における紙面奥側を画像形成装置１の右側と規定する。また、図１における上側および下側を、それぞれ画像形成装置１の上側および下側と規定する。
【００１２】
画像形成装置１は、装置本体２と、給紙部３と、画像形成部５と、排紙部８と、駆動源４と、駆動装置６とを備えている。
給紙部３は、給紙トレイ１０および用紙搬送部３０を有している。装置本体２は、給紙トレイ１０を収容するトレイ収容部２ａを有している。駆動装置６は、駆動源４からの駆動力により用紙搬送部３０を駆動する。
【００１３】
装置本体２は略直方体形状に形成される箱体であり、給紙部３、画像形成部５、駆動源４および駆動装置６を収容している。トレイ収容部２ａは装置本体２の下部に配置されており、給紙トレイ１０を前後方向へスライド可能に収容している。装置本体２は、給紙部３から画像形成部５を経由して排紙部８へ至る用紙１８の搬送経路Ｐを有している。
【００１４】
給紙部３は、画像形成装置１の下部に配置され、給紙トレイ１０に支持される用紙１８を用紙搬送部３０によって画像形成部５に搬送するものである。
【００１５】
給紙トレイ１０は、トレイ本体１１と、圧板１２と、押上板１３とを有している。トレイ本体１１は、上面が開放された箱型に形成されている。圧板１２は、トレイ本体１１に配置され、トレイ本体１１に収容される用紙１８を下方から支持する板状部材である。
【００１６】
圧板１２は、下方に変位した下降位置と、下降位置よりも上方の位置となる上昇位置との間で変位可能に構成されている。押上板１３は、トレイ本体１１内において圧板１２の下方に配置されている。押上板１３は、圧板１２に接触して圧板１２を下降位置から上昇位置へ押し上げる。
【００１７】
圧板１２は、トレイ本体１１に、後端部の回動支点１２ａを中心として回動可能に支持されており、回動支点１２ａを中心に回動することで、下降位置と上昇位置との間で変位する。押上板１３は、トレイ本体１１に、後端部の回動支点１３ａを中心として回動可能に支持されており、回動支点１３ａを中心に回動することで、圧板１２を下降位置と上昇位置との間で変位させることが可能である。
押上板１３には駆動源４からの駆動力が駆動装置６によって伝達され、押上板１３は伝達された駆動力により駆動される。
【００１８】
用紙搬送部３０は、給紙トレイ１０に支持される用紙１８を一枚ずつ分離して取り出し、画像形成部５へ向けて搬送する搬送機構であり、給紙ローラ３１、分離ローラ３２、分離パッド３３、一対の搬送ローラ３４、および一対のレジストローラ３５を備えている。
【００１９】
給紙ローラ３１は、給紙トレイ１０に支持される用紙１８を分離ローラ３２へ向けて送り出すためのローラである。分離ローラ３２は、給紙ローラ３１よりも用紙１８の搬送方向下流側に配置されており、分離パッド３３は、分離ローラ３２に対向して配置されるとともに分離ローラ３２に向けて付勢されている。
給紙ローラ３１および分離ローラ３２には駆動源４からの駆動力が駆動装置６によって伝達され、給紙ローラ３１および分離ローラ３２は伝達された駆動力により駆動される。
【００２０】
給紙ローラ３１により分離ローラ３２に向けて送り出された用紙１８は、分離ローラ３２と分離パッド３３との間で１枚ずつに分離される。１枚ずつに分離された用紙１８は、搬送経路Ｐに沿って搬送ローラ３４へ向けて搬送される。
【００２１】
搬送ローラ３４は、用紙１８に搬送力を付与するローラであり、分離ローラ３２および分離パッド３３よりも用紙１８の搬送方向下流側に配置されている。分離ローラ３２から搬送ローラ３４に向けて搬送されてきた用紙１８は、搬送ローラ３４により搬送経路Ｐに沿ってレジストローラ３５へ向けて搬送される。
【００２２】
レジストローラ３５は、搬送ローラ３４よりも用紙１８の搬送方向下流側に配置されている。レジストローラ３５は、搬送される用紙１８の先端の移動を一旦停止させることにより、用紙１８の姿勢を矯正する。その後、レジストローラ３５は、所定のタイミングにて用紙１８を画像形成部５の転写位置に向けて搬送する。
【００２３】
画像形成部５は、給紙部３よりも用紙１８の搬送方向下流側に配置され、給紙部３から搬送されてきた用紙１８に画像を形成するものである。
画像形成部５は、給紙部３から搬送されてきた用紙１８の表面に画像を転写するプロセスカートリッジ５０と、プロセスカートリッジ５０の感光体ドラム５４の表面を露光する露光ユニット５６と、プロセスカートリッジ５０により用紙１８に転写された画像を定着させる定着ユニット７０とを備えている。
【００２４】
プロセスカートリッジ５０は、装置本体２におけるトレイ収容部２ａよりも上方に配置されており、現像剤収容室５１と、供給ローラ５２と、現像ローラ５３と、感光体ドラム５４と、転写ローラ５５等とを備えている。
【００２５】
露光ユニット５６は、レーザダイオード、ポリゴンミラー、レンズ、及び反射鏡等を備えており、画像形成装置１に入力された画像データに基づいてレーザ光を感光体ドラム５４へ向けて照射することにより、感光体ドラム５４の表面を露光する。
【００２６】
現像剤収容室５１には現像剤となるトナーが収容されている。現像剤収容室５１に収容されたトナーは、図示しない撹拌部材により撹拌されながら供給ローラ５２に送られる。供給ローラ５２は、現像剤収容室５１から送られてくるトナーをさらに現像ローラ５３へ供給する。
【００２７】
現像ローラ５３は、供給ローラ５２に密着して配置されており、供給ローラ５２から供給されるとともに図示しない摺接部材により正帯電されたトナーを担持する。また、現像ローラ５３には、図示しないバイアス印加手段により正の現像バイアスが印加される。
【００２８】
感光体ドラム５４は、現像ローラ５３に隣接して配置されている。感光体ドラム５４の表面は、図示しない帯電器により一様に正帯電された後、露光ユニット５６により露光される。感光体ドラム５４の露光された部分は他の部分よりも電位が低くなり、感光体ドラム５４に画像データに基づく静電潜像が形成される。
そして、静電潜像が形成された感光体ドラム５４の表面に、正に帯電されたトナーが現像ローラ５３から供給されることにより、静電潜像が顕像化されて現像剤像となる。
【００２９】
転写ローラ５５は、感光体ドラム５４に対向配置され、図示しないバイアス印加手段により負の転写バイアスが印加される。転写ローラ５５の表面に転写バイアスがされている状態で、現像剤像が形成された感光体ドラム５４と転写ローラ５５との間（転写位置）で用紙１８を挟持しなから搬送することにより、感光体ドラム５４の表面に形成された現像剤像が用紙１８の表面に転写される。
【００３０】
定着ユニット７０は、加熱ローラ７１と押圧ローラ７２とを備えている。加熱ローラ７１は駆動源４からの駆動力により回転駆動され、加熱ローラ７１は図示しない電源から電力を供給することで加熱される。押圧ローラ７２は加熱ローラ７１に対向配置されており、加熱ローラ７１に密着して従動回転する。現像剤像が転写された用紙１８が定着ユニット７０に搬送されてくると、加熱ローラ７１と押圧ローラ７２との間で用紙１８を挟持しながら搬送し、用紙１８に現像剤像を定着させる。
【００３１】
排紙部８は、画像形成部５よりも用紙１８の搬送方向下流側に配置され、画像形成部５により画像が形成された用紙１８を装置本体２の外部へ排紙するものである。排紙部８は、一対の排紙ローラ８１と、排紙トレイ８２とを備えている。排紙ローラ８１は、定着ユニット７０から搬送されてくる用紙１８を装置本体２の外部へ向けて排紙する。排紙トレイ８２は装置本体２の上面に形成されており、排紙トレイ８２には排紙ローラ８１により装置本体２の外部に排出された用紙１８が支持される。
【００３２】
[駆動装置]
次に、駆動装置６について説明する。
駆動装置６は、駆動源４からの駆動力が入力され、入力された駆動力を用紙搬送部３０の給紙ローラ３１等に出力することが可能に構成されている。
【００３３】
図２〜図４に示すように、駆動装置６は、駆動ギア６１と、振子ギア６２と、従動ギア６３と、圧縮ばね６４と、ギアカバー６５とを有している。
装置本体２は、装置本体２内における左右方向の一側端部に配置され前後方向および上下方向に延出する支持フレーム２１を有しており、駆動装置６は支持フレーム２１に支持されている。本実施形態においては、支持フレーム２１は装置本体２内の左側端部に配置されている。
【００３４】
駆動ギア６１は支持フレーム２１に支持されており、駆動源４からの駆動力が入力されるギアである。駆動ギア６１は駆動源４からの駆動力が入力されることにより、正転方向および逆転方向に回転可能に構成されている。
【００３５】
振子ギア６２は、駆動ギア６１とかみ合い、駆動ギア６１の回転に伴って第１位置と第２位置との間で揺動可能に構成されている。振子ギア６２は、例えば駆動ギア６１が正転方向に回転したときに第１位置に揺動し、駆動ギア６１が逆転方向に回転したときに第２位置に揺動するように構成されている。振子ギア６２は、ギア本体６２１と、ギア本体６２１の側面６２１ａから突出する回転軸部６２２とを有している。回転軸部６２２の軸中心が振子ギア６２の回転軸心Ｃ１となっている。
【００３６】
従動ギア６３は支持フレーム２１に支持されており、振子ギア６２が第１位置に揺動したときに振子ギア６２とかみ合い、振子ギア６２が第２位置に揺動したときに振子ギア６２から離間するように構成されている。従動ギア６３が振子ギア６２とかみ合ったときには、駆動ギア６１からの駆動力が振子ギア６２を介して従動ギア６３に伝達され、従動ギア６３が振子ギア６２から離間したときには、駆動ギア６１からの駆動力は従動ギア６３に伝達されない。従動ギア６３は給紙ローラ３１に接続されており、従動ギア６３に伝達された駆動力は給紙ローラ３１へ出力される。
【００３７】
圧縮ばね６４は、回転軸心Ｃ１方向に付勢力を有し、振子ギア６２を回転軸心Ｃ１方向に押圧する付勢部材であり、弾性を有した線状部材をコイル状に巻回することにより構成されている。圧縮ばね６４は、例えば振子ギア６２を回転軸心Ｃ１方向における支持フレーム２１側に押圧している。振子ギア６２は、圧縮ばね６４によって回転軸心Ｃ１方向に押圧されることにより、駆動ギア６１の回転に伴って揺動することが可能となっている。つまり、振子ギア６２は、圧縮ばね６４によって押圧されると回転方向に対する摩擦力が生じて回転が抑制されるため、駆動ギア６１が回転した際に駆動ギア６１の回転軸心を中心として公転することが可能となっている。
【００３８】
圧縮ばね６４は、回転軸心Ｃ１に沿った方向に伸縮可能であり、振子ギア６２におけるギア本体６２１の側面６２１ａに当接する一端部６４ａと、回転軸心Ｃ１方向において一端部６４ａとは反対側の他端部６４ｂとを有している。一端部６４ａは圧縮ばねの一端の一例であり、他端部６４ｂは圧縮ばねの他端の一例である。圧縮ばね６４は、外径Ｒｓを有している（図７参照）。
【００３９】
ギアカバー６５は、左右方向において、駆動ギア６１、振子ギア６２、および従動ギア６３を挟んで支持フレーム２１側とは反対側に、支持フレーム２１と対向して配置されている。本実施形態においては、ギアカバー６４は、支持フレーム２１よりも左右外側に配置されており、駆動ギア６１および振子ギア６２はギアカバー６５によって左右外側から覆われている。
【００４０】
ギアカバー６５は、左右内側に一側面６５ａを有しており、左右外側に一側面６５ａとは反対側の他側面６５ｂを有している。ギアカバー６５の一側面６５ａは、駆動ギア６１および振子ギア６２と対向している。ギアカバー６５は一側面６５ａにおいて駆動ギア６１および振子ギア６２を支持している。
【００４１】
図４〜図７に示すように、ギアカバー６５は、支持孔６５１と、筒状部６６と、フック６７とを有している。支持孔６５１は、ギアカバー６５を回転軸心Ｃ１方向に貫通しており、駆動ギア６１の周方向に沿って延びる長孔形状に形成されている。
【００４２】
支持孔６５１には振子ギア６２の回転軸部６２２が摺動可能に挿入されている。回転軸部６２２が支持孔６５１内を摺動することにより、振子ギア６２が第１位置と第２位置との間で揺動可能となっている。また、支持孔６５１に回転軸部６２２が挿入されることで、振子ギア６２がギアカバー６５の一側面６５ａにおいて支持されている。
【００４３】
筒状部６６はギアカバー６５の他側面６５ｂから左右外側へ向かって突出しており、回転軸心Ｃ１方向に沿って延びる貫通孔６６２を有している。筒状部６６は、第１位置に揺動した振子ギア６２(図５に示した振子ギア６２−１参照)、および第２位置に揺動した振子ギア６２(図５に示した振子ギア６２−２参照)と、回転軸心Ｃ１方向に重なる位置に設けられている。
【００４４】
筒状部６６は、ギアカバー６５の他側面６５ｂから左右外側へ向かって突出する一対のガイド片６６１を有している。一対のガイド片６６１は、互いに所定の距離を隔てて対向配置されている。ガイド片６６１は左右外側から見たときに円弧形状となる形状に形成されており、一対のガイド片６６１は互いに内周面が対向する姿勢で配置されている。貫通孔６６２はガイド片６６１の内周面によって形成されており、内径Ｒｔを有している。内径Ｒｔは圧縮ばね６４の外径Ｒｓよりも若干大きく形成されており、貫通孔６６２には圧縮ばね６４が挿入可能となっている。
【００４５】
フック６７は、ギアカバー６５の他側面６５ｂから左右外側へ向かって突出する一対のフック片６７１を有している。一対のフック片６７１は、互いに所定の距離を隔てて対向配置されている。各フック片６７１は、筒状部６６のガイド片６６１とガイド片６６１との間に配置されている。
【００４６】
フック片６７１は、回転軸心Ｃ１方向に沿って延びるアーム６７２と、回転軸心Ｃ１方向においてアーム６７２の振子ギア６２側とは反対側の端部となる左右外側の端部に設けられる爪部６７３とを有している。アーム６７２は左右外側から見たときに円弧形状となる形状に形成されており、一対のアーム６７２は互いに内周面が対向する姿勢で配置されている。アーム６７２は、弾性を有した樹脂部材等により形成されており、弾性変形可能に構成されている。
【００４７】
アーム６７２はガイド片６６１とともに貫通孔６６２を形成している。つまり、貫通孔６６２は、ガイド片６６１の内周面とアーム６７２の内周面とで形成されている。このように、アーム６７２は、ガイド片６６１とともに貫通孔６６２を形成することにより、貫通孔６６２を有する筒状部６６の一部を構成している。
【００４８】
爪部６７３はアーム６７２の内周面よりも半径方向内側に突出しており、一方の爪部６７３の内周側端部と他方の爪部６７３の内周側端部とは間隔Ｄだけ離間している。間隔Ｄは圧縮ばね６４の外径Ｒｓよりも小さく形成されており、貫通孔６６２内に挿入された圧縮ばね６４の他端部６４ｂが爪部６７３に係止可能となっている。
【００４９】
貫通孔６６２内に挿入された圧縮ばね６４の他端部６４ｂが爪部６７３に係止した状態では、圧縮ばね６４は圧縮状態となっており、圧縮ばね６４の一端部６４ａが振子ギア６２の側面６２１ａに当接して、振子ギア６２が圧縮ばね６４により回転軸心Ｃ１方向に押圧された状態となる。
【００５０】
このように、フック片６７１の爪部６７３は、圧縮ばね６４の一端部６４ａが振子ギア６２に当接するとともに圧縮ばね６４が圧縮した状態で、圧縮ばね６４の他端部６４ｂを保持している。また、貫通孔６６２内に挿入された圧縮ばね６４の他端部６４ｂが爪部６７３に係止することで、圧縮ばね６４がギアカバー６５に保持される。つまり、ギアカバー６５は、圧縮ばねを保持する保持部の一例である。
【００５１】
このように構成される駆動装置９においては、支持フレーム２１に駆動ギア６１、振子ギア６２、および従動ギア６３等を組み付けた後にギアカバー６５を組み付け、さらにその後に圧縮ばね６４を組み付けることが可能となっている。つまり、振子ギア６２等が組み付けられた支持フレーム２１にギアカバー６５を組み付けた後に、圧縮ばね６４を貫通孔６６２に左右外側から挿入することで、圧縮ばね６４をフック６７の爪部６７３と振子ギア６２の側面６２１ａとの間に圧縮状態で組み付けることが可能である。
【００５２】
圧縮ばね６４を貫通孔６６２に挿入する場合、圧縮ばね６４の外径Ｒｓは爪部６７３の間隔Ｄよりも大きいが、アーム６７２は弾性変形可能であるため、圧縮ばね６４を左右外側から爪部６７３に当接させて貫通孔６６２へ向けて押し込むと、アーム６７２が弾性変形して爪部６７３が半径方向外側へ変位する。爪部６７３が半径方向外側へ変位すると、爪部６７３と爪部６７３との間隔Ｄが広がって、圧縮ばね６４が爪部６７３を通過可能となり、貫通孔６６２に挿入される。
【００５３】
圧縮ばね６４が貫通孔６６２に挿入されて、他端部６４ｂが爪部６７３よりも振子ギア６２側に位置すると、爪部６７３と爪部６７３との間隔Ｄがアーム６７２の弾性によってもとの大きさに戻る。その後、圧縮ばね６４を振子ギア６２側へ押し込む力がなくなると、圧縮ばね６４の付勢力によって他端部６４ｂが爪部６７３に係止する。圧縮ばね６４が爪部６７３に係止した状態では、圧縮ばね６４は圧縮状態にあり、振子ギア６２の側面６２１ａが圧縮ばね６４の一端部６４ａにより回転軸心Ｃ１方向に押圧される。
【００５４】
このように、駆動装置９においては、振子ギア６２を支持フレーム２１に組み付け、さらにギアカバー６５を支持フレーム２１に組み付けた後に、圧縮ばね６４を筒状部６６の貫通孔６６２に挿入してフック６７の爪部６７３にて止めるように組み付けることができる。これにより、振子ギア６２を組み付けた後に圧縮ばね６４を組み付けることができるので、圧縮ばね６４が歪んで取り付けられることを抑制できるとともに、圧縮ばね６４を簡単に組み付けることが可能となっている。
【００５５】
また、圧縮ばね６４を貫通孔６６２に挿入する際には、アーム６７２が弾性変形して爪部６７３を半径方向外側へ変位させることができるため、間隔Ｄが大きくなって圧縮ばね６４を貫通孔６６２に挿入し易くなるとともに、圧縮ばね６４の貫通孔６６２への挿入時に圧縮ばね６４が痛むことを抑制することが可能となっている。
【００５６】
さらに、フック６７のアーム６７２は筒状部６６の一部を構成しており、フック６７の構成部材と筒状部６６の構成部材とを兼用しているので、筒状部６６およびフック６７が設けられるギアカバー６５をコンパクトで簡単な構成とすることが可能となっている。
【００５７】
また、例えば圧縮ばね６４をギアカバー６５の一側面６５ａと振子ギア６２との間に組み付けた場合は、ギアカバー６５を支持フレーム２１に組み付けた後に圧縮ばね６４がギアカバー６５に隠れてしまう。従って、組付後に圧縮ばね６４を外部から視認することができず、圧縮ばね６４が適正に組み付けられているか否かの判断、および付勢部材が欠品しているか否かの判断を行うことが困難となる。
【００５８】
しかし、駆動装置６においては、圧縮ばね６４は、ギアカバー６５の他側面６５ｂから左右外側に突出する筒状部６６に形成され回転軸心Ｃ１方向に沿って延びる貫通孔６６２に挿入されているため、ギアカバー６５を支持フレーム２１に組み付けた後であっても、圧縮ばね６４を外部から視認することが可能である。従って、圧縮ばね６４およびギアカバー６５を支持フレーム２１に組み付けた後であっても、圧縮ばね６４が適正に組み付けられているか否かの判断、および圧縮ばね６４が欠品しているか否かの判断を行うことが容易となっている。
【００５９】
また、図４、図６に示すように、フック６７の爪部６７３は、回転軸心Ｃ１方向において筒状部６６の振子ギア６２側とは反対側となる左右外側の端部よりも振子ギア６２側に配置されている。つまり、筒状部６６は回転軸心Ｃ１方向においてフック６７よりも長く形成されており、筒状部６６におけるガイド片６６１の左右外側端部が爪部６７３よりも左右外側に位置している。
【００６０】
従って、圧縮ばね６４を爪部６７３に当接させて貫通孔６６２へ向けて押し込むときには、圧縮ばね６４が爪部６７３を通過する前に、圧縮ばね６４の外周が筒状部６６のガイド片６６１によってガイドされることとなるため、圧縮ばね６４を容易に貫通孔６６２へ挿入することが可能となっている。
【００６１】
また、筒状部６６が有するガイド片６６１の回転軸心Ｃ１方向における振子ギア６２側とは反対側となる左右外側の筒端面は、振子ギア６２側へ行くに従って半径方向内側に傾斜する第３傾斜面６６１ａを有している。
【００６２】
従って、圧縮ばね６４を筒状部６６の貫通孔６６２に挿入する際には、圧縮ばね６４は爪部６７３に当接するよりも前に、第３傾斜面６６１ａに当接することが可能である。第３傾斜面６６１ａに当接した圧縮ばね６４は、第３傾斜面６６１ａにより径方向内側へ案内されて爪部６７３に導かれるため、圧縮ばね６４を容易に爪部６７３に当接させることができる。これにより、圧縮ばね６４の貫通孔６６２への挿入を容易にすることができる。
【００６３】
また、爪部６７３の回転軸心Ｃ１方向における振子ギア６２側とは反対側となる左右外側の第１爪端面は、振子ギア６２側へ行くに従って半径方向内側に傾斜する第１傾斜面６７３ａを有している。これにより、圧縮ばね６４を貫通孔６６２に挿入する際に、圧縮ばね６４を爪部６７３の第１爪端面に当接させると、圧縮ばね６４を第１傾斜面６７３ａによって貫通孔６６２へ案内することができ、圧縮ばね６４を容易に挿入することが可能になっている。
【００６４】
また、爪部６７３の回転軸心Ｃ１方向における振子ギア６２側の第２爪端面は、半径方向内側へ行くに従って振子ギア側へ傾斜する第２傾斜面６７３ｂを有している。第２傾斜面６７３ｂには、圧縮ばね６４の他端部６４ｂが係合可能である。貫通孔６６２に挿入された圧縮ばね６４が爪部６７３の第２傾斜面６７３ｂと係合している状態では、圧縮ばね６４は圧縮状態にあって、第２傾斜面６７３は圧縮ばね６４から回転軸心Ｃ１方向の荷重を受けた状態となっている。
【００６５】
このように、爪部６７３の第２傾斜面６７３ｂが圧縮ばね６４からの荷重を受けると、圧縮ばね６４が第２傾斜面６７３ｂに食い込んで、フック６７には半径方向内側へ向かって変形する方向の力が作用する。フック６７に半径方向内側へ向かう方向の力が作用すると、フック６７は爪部６７３の間隔Ｄが小さくなる方向に変形しようとするため、フック６７の爪部６７３に係合した圧縮ばね６４がフック６７から外れることを抑制することが可能である。
【００６６】
[フックの第２実施形態]
ギアカバー６５が有するフック６７は、図８に示すフック６９のように形成することもできる。フック６９は、一対のフック片６９１と、爪部６９２と、ばね６９３とを有している。フック片６９１はギアカバー６５の他側面６５ｂから左右外側へ向かって突出している。一対のフック片６９１は、互いに所定の距離を隔てて対向配置されており、各フック片６９１は、筒状部６６のガイド片６６１とガイド片６６１との間に配置されている。
【００６７】
フック片６９１は、左右外側から見たときに円弧形状となる形状に形成されており、一対のフック片６９１は互いに内周面が対向する姿勢で配置されている。フック片６９１はガイド片６６１とともに貫通孔６６２を形成している。つまり、貫通孔６６２は、ガイド片６６１の内周面とフック片６９１の内周面とで形成されている。このように、フック片６９１は、ガイド片６６１とともに貫通孔６６２を形成することにより、貫通孔６６２を有する筒状部６６の一部を構成している。フック片６９１は、半径方向に貫通する摺動孔６９１ａを有している。
【００６８】
爪部６９２は、フック片６９１の摺動孔６９１ａに半径方向へ摺動可能に嵌装されており、フック片６９１の内周面から半径方向内側へ突出している。一方の爪部６９２の内周側端部と他方の爪部６９２の内周側端部とは図８に示すように間隔Ｄだけ離間している。爪部６９２におけるフック片６９１の内周面から半径方向内側へ突出した部分には、振子ギア６２側へ行くに従って半径方向内側に傾斜する第１傾斜面６９２ａが形成されている。第１傾斜面６９２ａは、爪部６９２の回転軸心Ｃ１方向における振子ギア６２側とは反対側となる左右外側の端面に形成されている。
【００６９】
ばね６９３は、爪部６９２を半径方向内側へ向けて付勢しており、爪部６９２はばね６９３により付勢された状態で、第１傾斜面６９２ａがフック片６９１の内周面から半径方向内側へ突出する位置に保持されている。
【００７０】
このような構成において、圧縮ばね６４を貫通孔６６２に挿入する際に、圧縮ばね６４を左右外側から爪部６９２の第１傾斜面６９２ａに当接させて貫通孔６６２へ向けて押し込むと、爪部６９２がばね６９３の付勢力に抗して半径方向外側へ変位する。爪部６９２が半径方向外側へ変位すると、爪部６９２と爪部６９２との間隔Ｄが広がって、圧縮ばね６４が爪部６９２を通過可能となり、貫通孔６６２に挿入される。
【００７１】
圧縮ばね６４が貫通孔６６２に挿入されて、他端部６４ｂが爪部６９２よりも振子ギア６２側に位置すると、爪部６９２と爪部６９２との間隔Ｄがばね６９３の付勢力によってもとの大きさに戻り、圧縮ばね６４の付勢力によって他端部６４ｂが爪部６９２に係止する。圧縮ばね６４が爪部６９２に係止した状態では、圧縮ばね６４は圧縮状態にあり、振子ギア６２の側面６２１ａが圧縮ばね６４の一端部６４ａにより回転軸心Ｃ１方向に押圧される。
【００７２】
このように、フック６９を用いた場合においても、振子ギア６２を支持フレーム２１に組み付け、さらにギアカバー６５を支持フレーム２１に組み付けた後に、圧縮ばね６４を筒状部６６の貫通孔６６２に挿入してフック６９の爪部６９２にて止めるように組み付けることができる。これにより、振子ギア６２を組み付けた後に圧縮ばね６４を組み付けることができるので、圧縮ばね６４が歪んで取り付けられることを抑制できるとともに、圧縮ばね６４を簡単に組み付けることが可能となる。
【００７３】
[本実施形態における効果]
本実施形態においては、画像形成装置１は上述のように構成されている。
つまり、画像形成装置１の駆動装置６は、駆動ギア６１と、振子ギア６２と、従動ギア６３と、圧縮ばね６４と、ギアカバー６５とを備える。駆動ギア６１は、正逆回転可能である。振子ギア６２は、駆動ギア６１とかみ合い、駆動ギア６１の回転に伴って第１位置と第２位置との間で揺動する。従動ギア６３は、振子ギア６２が第１位置に揺動したときに振子ギア６２とかみ合い、振子ギア６２が第２位置に揺動したときに振子ギア６２から離間する。圧縮ばね６４は、振子ギア６２の回転軸心Ｃ１方向に付勢力を有し、振子ギア６２の側面６２１ａに当接して振子ギア６２を押圧する。ギアカバー６５は、圧縮ばね６４を保持する。ギアカバー６５は、第１位置に揺動した振子ギア６２および第２位置に揺動した振子ギア６２と回転軸心Ｃ１方向に重なる位置に設けられ、圧縮ばね６４を挿入可能な貫通孔６６２が回転軸心Ｃ１方向に沿って延びる筒状部６６を有する。ギアカバー６５は、圧縮ばね６４の一端部６４ａが振子ギア６２に当接するとともに圧縮ばね６４が圧縮した状態で、圧縮ばね６４の他端部６４ｂを保持するフック６７を有する。
【００７４】
このような構成により、振子ギア６２を支持フレーム２１に組み付け、さらにギアカバー６５を支持フレーム２１に組み付けた後に、圧縮ばね６４を筒状部６６の貫通孔６６２に挿入してフック６７の爪部６７３にて止めるように組み付けることができる。これにより、振子ギア６２を組み付けた後に圧縮ばね６４を組み付けることができるので、圧縮ばね６４が歪んで取り付けられることを抑制できるとともに、圧縮ばね６４を簡単に組み付けることが可能となっている。
【００７５】
また、フック６７のフック片６７１は、回転軸心Ｃ１方向に沿って延び弾性変形可能なアーム６７２と、アーム６７２の振子ギア６２側とは反対側の端部に設けられる爪部６７３とを有し、アーム６７２は筒状部６６の一部を構成する。
【００７６】
これにより、圧縮ばね６４を貫通孔６６２に挿入する際には、アーム６７２が弾性変形して爪部６７３を半径方向外側へ変位させることができるため、間隔Ｄが大きくなって圧縮ばね６４を貫通孔６６２に挿入し易くなるとともに、圧縮ばね６４の貫通孔６６２への挿入時に圧縮ばね６４が痛むことを抑制することが可能である。また、フック６７のアーム６７２は筒状部６６の一部を構成しており、フック６７の構成部材と筒状部６６の構成部材とを兼用しているので、筒状部６６およびフック６７が設けられるギアカバー６５をコンパクトで簡単な構成とすることが可能である。
【００７７】
また、爪部６７３は、回転軸心Ｃ１方向において筒状部６６が有するガイド片６６１の振子ギア６２側とは反対側の端部よりも振子ギア６２側に配置されている。
【００７８】
これにより、圧縮ばね６４を爪部６７３に当接させて貫通孔６６２へ向けて押し込むときには、圧縮ばね６４が爪部６７３を通過する前に、圧縮ばね６４の外周が筒状部６６のガイド片６６１によってガイドされることとなるため、圧縮ばね６４を容易に貫通孔６６２へ挿入することが可能となる。
【００７９】
また、爪部６７３の回転軸心Ｃ１方向における振子ギア６２側とは反対側の第１爪端面は、振子ギア６２側へ行くに従って半径方向内側に傾斜する第１傾斜面６７３ａを有する。
【００８０】
これにより、圧縮ばね６４を貫通孔６６２に挿入する際に、圧縮ばね６４を爪部６７３の第１爪端面に当接させると、圧縮ばね６４を第１傾斜面６７３ａによって貫通孔６６２へ案内することができ、圧縮ばね６４を容易に挿入することが可能になる。
【００８１】
また、爪部６７３の回転軸心Ｃ１方向における振子ギア６２側の第２爪端面は、圧縮ばね６４の他端部６４ｂと係合可能であり半径方向内側へ行くに従って振子ギア６２側へ傾斜する第２傾斜面６７３ｂを有する。
【００８２】
これにより、爪部６７３の第２傾斜面６７３ｂが圧縮ばね６４からの荷重を受けると、圧縮ばね６４が第２傾斜面６７３ｂに食い込んで、フック６７には半径方向内側へ向かって変形する方向の力が作用する。フック６７に半径方向内側へ向かう方向の力が作用すると、フック６７は爪部６７３の間隔Ｄが小さくなる方向に変形しようとするため、フック６７の爪部６７３に係合した圧縮ばね６４がフック６７から外れることを抑制することができる。
【００８３】
また、筒状部６６が有するガイド片６６１の回転軸心Ｃ１方向における振子ギア６２側とは反対側の筒端面は、振子ギア６２側へ行くに従って半径方向内側に傾斜する第３傾斜面６６１ａを有する。
【００８４】
このような構成により、圧縮ばね６４を筒状部６６の貫通孔６６２に挿入する際には、圧縮ばね６４は爪部６７３に当接するよりも前に、第３傾斜面６６１ａに当接することが可能となる。第３傾斜面６６１ａに当接した圧縮ばね６４は、第３傾斜面６６１ａにより径方向内側へ案内されて爪部６７３に導かれるため、圧縮ばね６４を容易に爪部６７３に当接させることができる。これにより、圧縮ばね６４の貫通孔６６２への挿入を容易にすることができる。
【符号の説明】
【００８５】
１    画像形成装置
４    駆動源
６    駆動装置
２１    支持フレーム
３０    用紙搬送部
６１    駆動ギア
６２    振子ギア
６３    従動ギア
６４    圧縮ばね
６４ａ  一端部
６４ｂ  他端部
６５    ギアカバー
６５ａ  一側面
６５ｂ  他側面
６６    筒状部
６７    フック
６６１ａ  第３傾斜面
６７１    フック片
６７２    アーム
６７３    爪部
６７３ａ  第１傾斜面
６７３ｂ  第２傾斜面
６２１ａ  側面
Ｃ１    回転軸心
【図１】
2020143737.tif 000003
【図２】
2020143737.tif 000004
【図３】
2020143737.tif 000005
【図４】
2020143737.tif 000006
【図５】
2020143737.tif 000007
【図６】
2020143737.tif 000008
【図７】
2020143737.tif 000009
【図８】
2020143737.tif 000010